(57)【要約】【課題】  インターネットなどのネットワーク等を利用して、ユーザ自身が、ＥＤＩシステムにおけるデータの振り分け情報の登録を簡易に行うことができ、必要な情報の迅速な入手が可能となると共に、業務のスピードアップ等を図る。【解決手段】  ＥＤＩシステムにおけるＥＤＩデータの配信先をコンピュータ処理して決定するＥＤＩデータ振り分けシステム１ｂであって、ネットワーク４を介して受信したユーザ端末２，３からのＷＥＢブラウザ２ａ，３ａを介しての指示に基づき、ＥＤＩデータの任意のデータ項目の組み合わせ情報と当該ＥＤＩデータの配信先情報とを対応付けて記憶装置５に記憶する情報登録処理部１ｃと、記憶装置５に記憶した対応付け情報に基づき、受信したＥＤＩデータの配信先を決定する決定処理部１ｄとを有する構成とする。【選択図】        図１
2005101928.tif 000002
【特許請求の範囲】
【請求項１】
ＥＤＩシステムにおけるＥＤＩデータの配信先をコンピュータ処理して決定するＥＤＩデータ振り分けシステムであって、
上記ＥＤＩデータの任意のデータ項目の組み合わせ情報と当該ＥＤＩデータの配信先情報とを対応付けて記憶装置に記憶する情報登録手段と、
上記記憶装置に記憶した対応付け情報に基づき、受信したＥＤＩデータの配信先を決定する決定手段と
を有することを特徴とするＥＤＩデータ振り分けシステム。
【請求項２】
ＥＤＩシステムにおけるＥＤＩデータの配信先をコンピュータ処理して決定するＥＤＩデータ振り分けシステムであって、
ネットワークを介して受信したユーザ端末からの指示に基づき、上記ＥＤＩデータの任意のデータ項目の組み合わせ情報と当該ＥＤＩデータの配信先情報とを対応付けて記憶装置に記憶する情報登録手段と、
上記記憶装置に記憶した対応付け情報に基づき、受信したＥＤＩデータの配信先を決定する決定手段と
を有することを特徴とするＥＤＩデータ振り分けシステム。
【請求項３】
ＥＤＩシステムにおけるＥＤＩデータの配信先をコンピュータ処理して決定するＥＤＩデータ振り分けシステムであって、
ネットワークを介して受信したユーザ端末からのＷＥＢブラウザを介しての指示に基づき、上記ＥＤＩデータの任意のデータ項目の組み合わせ情報と当該ＥＤＩデータの配信先情報とを対応付けて記憶装置に記憶する情報登録手段と、
上記記憶装置に記憶した対応付け情報に基づき、受信したＥＤＩデータの配信先を決定する決定手段と
を有することを特徴とするＥＤＩデータ振り分けシステム。
【請求項４】
発信者装置からの注文ＥＤＩデータを受信した受信者ＥＤＩ装置から、該注文ＥＤＩデータを、複数の階層化された委託先ＥＤＩ装置に送信するＥＤＩシステムであって、
上記受信者ＥＤＩ装置および上記複数の階層化された委託先ＥＤＩ装置のそれぞれに、請求項１から請求項３のいずれかに記載のＥＤＩデータ振り分けシステムを設けたことを特徴とするＥＤＩシステム。
【請求項５】
コンピュータを、請求項１から請求項３のいずれかに記載のＥＤＩデータ振り分けシステムにおける各手段として機能させるためのプログラム。
【発明の詳細な説明】
【技術分野】
【０００１】
本発明は、ＥＤＩシステムで交換されるデータの振り分け技術に係わり、特に、効率的なデータ振り分けを行うのに好適なＥＤＩデータ振り分け技術に関するものである。
【背景技術】
【０００２】
従来のＥＤＩシステムでは、例えば特許文献１に記載のように、送受信されるＥＤＩデータ中の「発注者コード」に基づき当該ＥＤＩデータの配信先を決定する振り分け処理を行っている。
【０００３】
この技術によれば、製造業の企業間におけるＥＤＩ受注システムにおいて、発注者から受信した受注データを、フォーマット変換することなく、自社の組織（各部門）に自動的に振り分けることができる。
【０００４】
また、特許文献２に記載の技術では、ＥＤＩデータ中の発信元と受注先コードと取引種別コードからなる特定の項目の組あるいはＥＤＩデータ中のメッセージ内容に基づき、振り分け管理テーブルを検索して当該ＥＤＩデータの配信先を決定する振り分け処理が開示されている。
【０００５】
特に、この特許文献２に記載の技術では、仲介業者により接地されたセンターサーバ装置の他に、他企業とのＥＤＩデータ授受の直接の窓口となるローカルサーバ装置を別途設置することにより、振り分け管理テーブルの内容を階層化し、相手企業の事業者や工場の構成を意識することなく、ＥＤＩデータの送受信を実現することができる。さらには、取り引き種別コードそのものではなく、業務メッセージ内容そのものによりＥＤＩデータを配信すべきクライアント装置を特定することができる。
【０００６】
しかし、特許文献１，２に記載のいずれにおいても、任意のデータ項目の組み合わせに基づくＥＤＩデータの振り分け技術に関しての開示はなされていない。また、振り分け管理テーブルの登録を効率的に行う技術の開示はなされていない。
【特許文献１】特開２０００−０２９９３０号公報
【特許文献２】特開２０００−１５６７０３号公報
【発明の開示】
【発明が解決しようとする課題】
【０００７】
解決しようとする問題点は、従来の技術では、ＥＤＩデータにおける任意のデータ項目の組み合わせに基づきＥＤＩデータの振り分けを決定することができない点と、振り分け管理テーブルの登録を効率的に行うことができない点である。
【課題を解決するための手段】
【０００８】
上記目的を達成するため、本発明では、ＥＤＩシステムの利用者が、パーソナルコンピュータ等のユーザ端末を用いて、インターネット等のネットワークを介して振り分け情報の登録依頼をすると、当該ネットワークで接続されたサーバコンピュータ等において、利用者からの登録依頼に応じて、ＥＤＩシステム上の各種交換情報に含まれるデータの振り分け方法を登録する。
【発明の効果】
【０００９】
本発明によれば、インターネットなどのネットワーク等を利用して、ユーザ自身が、振り分け情報の登録を簡易に行うことができ、必要な情報の迅速な入手が可能となると共に、業務のスピードアップ等を図ることが可能である。
【発明を実施するための最良の形態】
【００１０】
以下、図を用いて本発明を実施するための最良の形態例を示す実施例の説明を行う。
【実施例】
【００１１】
図１は、本発明に係わるＥＤＩデータ振り分けシステムの構成例を示すブロック図であり、サーバコンピュータ１と端末２，３がインターネット等からなるネットワーク４を介して接続され、サーバコンピュータ１は記憶装置５，６を具備している。
【００１２】
端末２，３は、ＥＤＩシステムの利用者（ユーザ）が操作するコンピュータ装置であり、サーバコンピュータ１と同様に、ＣＰＵ（Central Processing Unit）や主メモリ、表示装置、入力装置、外部記憶装置からなるコンピュータ構成からなり、光ディスク駆動装置等を介してＣＤ−ＲＯＭ等の記憶媒体に記録されたプログラムやデータを外部記憶装置内にインストールした後、この外部記憶装置から主メモリに読み込みＣＰＵで処理することにより、例えばＷｅｂブラウザ２ａ，３ａ等の各処理機能を実行する。
【００１３】
サーバコンピュータ１においても、予めメモリにロードされたプログラムに基づく処理を実行することで、ＥＤＩシステム１ａとしての機能および本発明に係わるＥＤＩデータ振り分けシステム１ｂとしての機能を実行する。
【００１４】
すなわち、本例では、サーバコンピュータ１において、ＥＤＩシステム１ａにおけるＥＤＩデータの配信先をコンピュータ処理して決定するＥＤＩデータ振り分けシステム１ｂを実行し、情報登録処理部１ｃにより、ＥＤＩデータの任意のデータ項目の組み合わせ情報と当該ＥＤＩデータの配信先情報とを対応付けて記憶装置５に記憶し、この記憶装置５に記憶した対応付け情報に基づき、決定処理部１ｄにより、受信して記憶装置６に記憶したＥＤＩデータの配信先を決定する。
【００１５】
さらに、本例では、ＥＤＩシステムのユーザ（利用者）がテーブル登録内容を設定することを可能とするために、情報登録処理部１ｃに、ネットワーク４を介して受信したユーザの端末２，３からのＷｅｂブラウザ２ａ，３ａを介しての指示に基づき、ＥＤＩデータの任意のデータ項目の組み合わせ情報と当該ＥＤＩデータの配信先情報とを対応付けて記憶装置に記憶する機能を持たせる。
【００１６】
このように本例では、利用者（ユーザ）がパソコン等からなる端末２，３を操作して、ＥＤＩデータの振り分け情報を、ＥＤＩシステム１ａを実行するサーバコンピュータ１に、インターネットなどのネットワーク４を介して登録する構成とする。
【００１７】
以下、このような構成からなるＥＤＩシステムにおけるＥＤＩデータの振り分け動作を図２以降の図面を用いて説明する。
【００１８】
図２は、図１におけるＥＤＩデータ振り分けシステムの従来技術との相違点を示す説明図である。
【００１９】
本図２に示すように、従来の振り分け方式においては、ＥＤＩデータである注文データにおける送信元と送信先のデータを判別して、各社（Ｘ社、Ｙ社、Ｚ社のコイルセンタ）別のメールボックスに、当該注文データを配信して格納していたのに対して、本例の振り分けシステムにおいては、予め登録されている振り分けルールに基づき、任意のデータ項目の組み合わせ（ここでは、部品番号、サイズ、規格）に基づき、当該注文データの振り分けを行う。例えば、規格が「Ａ」で、部品番号が「２００５」、サイズが「１０００ｍｍ以上」とのルール（条件）に合致する注文データであれば、Ｘ社に送信する。
【００２０】
このように、本例のＥＤＩデータ振り分けシステムでは、従来の宛先による振り分けに追加して、特定のデータ項目の組み合わせを判断してＥＤＩデータの振り分けを行なう。
【００２１】
図３は、図１におけるＥＤＩデータ振り分けシステムを実際に利用した場合のモデル構成例を示す説明図である。
【００２２】
注文データは、図２に示したように「需要家（顧客）」より各コイルセンタ等に伝送されるが、本図３に示すように、予め登録された振り分けマスタの情報に従って、段階的に振り分けられる。
【００２３】
ここでは、鉄鋼業界の共同ＥＤＩを例にしており、本例のＥＤＩデータ振り分けシステムを利用して振り分けた場合の各振り分け先（受信者）を、各振り分け段階から「１次受信者」、「２次受信者」、「３次受信者」と記述している。
【００２４】
図４は、図１におけるＥＤＩデータ振り分けシステムが有する機能例を示す説明図であり、「振分機能」、「ＷＥＢ機能」、「メール・ＦＡＸ連携機能」があり、「振分機能」では、「データ振分処理」、「エラーデータ出力処理」、「エラーデータ再振分処理」、「同報配信」を実行し、「ＷＥＢ機能」では、「振分企業マスタデータ登録」、受発信先マスタデータ登録」、「商流情報変換マスタ登録」、「振分用マスタデータ登録」、「振分結果確認」、「エラーデータ再振分指示」、「ＣＳＶダウンロード」を実行し、「メール・ＦＡＸ連携機能」では、「エラー通知」、「振分結果メール通知」、「振分結果ＦＡＸ通知」を実行する。
【００２５】
以下、「振分機能」、「ＷＥＢ機能」、「メール・ＦＡＸ連携機能」の各機能の詳細を順次に説明する。まず、「振分機能」に関して、その概念（振り分け概念）について説明する。
【００２６】
図５は、図１におけるＥＤＩデータ振り分けシステムによる二者間情報共有モデル例を示す説明図であり、本例の二者間情報共有モデルでは、情報の流れは、発信者Ａ・受信者Ｂという概念で成り立っており、情報は、受信者Ｂのみに配信される。従って、情報は二者（発信者Ａ・受信者Ｂ）間のみで共有される。
【００２７】
図６は、図１におけるＥＤＩデータ振り分けシステムによる三者間情報共有モデル例を示す説明図であり、本例の三者間情報共有モデルでは、以下の改善を行う。「１．委託先Ｃの概念を追加」、「２．受信者Ｂは自信の受け取る情報を委託先Ｃに転送できる」、「３．転送する際は、情報は複製される」。従って、情報は三者（発信者Ａ・受信者Ｂ・委託先Ｃ）間で共有される。
【００２８】
図７は、図１におけるＥＤＩデータ振り分けシステムによるｎ者間情報共有モデル例を示す説明図であり、本例のｎ者間情報共有モデルでは、三者間情報共有モデルを拡張する概念として以下の改善を行う。「１．情報複製の際に受信者（Ｂ,Ｃ）は自信の情報を発信者情報として編集」、「２．情報複製の際に受信者（Ｂ,Ｃ）は委託先（Ｃ，Ｄ）の情報を受信者情報として編集」。従って、情報はｎ者（Ａ,Ｂ,Ｃ,Ｄ，…）間で共有される。
【００２９】
図８は、図１におけるＥＤＩデータ振り分けシステムの振り分けモデル例を示す説明図であり、この振り分けモデルは、以下の概念にて成立する。「１．委託先Ｃは振り分けルールにて決定される」、「２，情報区分・発信者・受信者・対象商品・委託先を振り分けルールとする」。
【００３０】
図９は、図１におけるＥＤＩデータ振り分けシステムで用いる３階層モデルの振り分けルール例を示す説明図であり、本例の振り分けルールは、「情報区分」、「発信者」、「受信者」、「委託先」、「規格」の各項目からなり、第１の振り分けルールとして「情報区分：確定注文」、「発信者：Ａ」、「受信者：Ｂ」、「委託先：Ｃ」、「規格：ＳＰＣＣ」が登録され、第２の振り分けルールとして「情報区分：確定注文」、「発信者：Ａ」、「受信者：Ｂ」、「委託先：Ｄ」、「規格：ｘｘｘｘ」が登録されている。
【００３１】
ここでは、Ａ社から発信された情報は「情報区分：確定注文」、「発信者：Ａ」、「受信者：Ｂ」、「規格：ＳＰＣＣ」からなり、Ｂ社での受信情報も「情報区分：確定注文」、「発信者：Ａ」、「受信者：Ｂ」、「規格：ＳＰＣＣ」である。受信者Ｂは、この情報に基づき、「振り分けルール」を参照することで、委託先Ｃを決定して、情報の編集を行い、「情報区分：確定注文」、「発信者：Ｂ」、「受信者：Ｃ」、「規格：ＳＰＣＣ」として委託先Ｃに送信する。
【００３２】
図１０は、図１におけるＥＤＩデータ振り分けシステムで用いる４階層モデルの振り分けルール例を示す説明図であり、Ａ社とＢ社間で登録されている振り分けルールにおいては、第１の振り分けルールとして「情報区分：確定注文」、「発信者：Ａ」、「受信者：Ｂ」、「委託先：Ｃ」、「規格：ＳＰＣＣ」が登録され、第２の振り分けルールとして「情報区分：確定注文」、「発信者：Ａ」、「受信者：Ｂ」、「委託先：Ｄ」、「規格：ｘｘｘｘ」が登録されており、また、Ｂ社とＣ社間で登録されている振り分けルールにおいては、第１の振り分けルールとして「情報区分：確定注文」、「発信者：Ｂ」、「受信者：Ｃ」、「委託先：Ｅ」、「規格：ＳＰＣＣ」、「幅：１０〜５０ｍｍ」が登録され、第２の振り分けルールとして「情報区分：確定注文」、「発信者：Ｂ」、「受信者：Ｃ」、「委託先：Ｆ」、「規格：ＳＰＣＣ」、「幅：５１〜８０ｍｍ」が登録されている。
【００３３】
ここでは、Ａ社から発信された情報は「情報区分：確定注文」、「発信者：Ａ」、「受信者：Ｂ」、「規格：ＳＰＣＣ」、「幅：２０ｍｍ」からなり、Ｂ社での受信情報も「情報区分：確定注文」、「発信者：Ａ」、「受信者：Ｂ」、「規格：ＳＰＣＣ」、「幅：２０ｍｍ」となり、受信者Ｂは、「振り分けルール」から、この情報に対応する第１のルールを特定し、第１のルールに基づき委託先Ｃを決定して、情報の編集を行い、「情報区分：確定注文」、「発信者：Ｂ」、「受信者：Ｃ」、「規格：ＳＰＣＣ」、「幅：２０ｍｍ」として委託先Ｃに送信する。
【００３４】
この情報を受信した委託先Ｃでは、自社とＢ社間で登録された「振り分けルール」から、この情報に対応する第１のルールを特定し、第１のルールに基づき委託先Ｅを決定して、情報の編集を行い、「情報区分：確定注文」、「発信者：Ｃ」、「受信者：Ｅ」、「規格：ＳＰＣＣ」、「幅：２０ｍｍ」として委託先Ｅに送信する。
【００３５】
図１１は、図１のＥＤＩデータ振り分けシステムにおける受発信先の登録形態例を示す説明図であり、本例では、１次受信者としてのＢ社における受発信先として登録される対象を示しており、発信者として「Ａ」が、受信者として「Ｃ,Ｄ,Ｅ,Ｆ,Ｇ」のそれぞれが登録の対象となっている。この受発信先とは、振り分け依頼者（１次受信者）が、情報の受信・送信対象となる企業を登録するものとする。
【００３６】
次に、図１２から図１５および図２０を用いて、「振分機能」における、その「データ振り分け処理」について説明する。
【００３７】
図１２は、図１におけるＥＤＩデータ振り分けシステムに入力される第１の伝送情報例を示す説明図であり、図１３は、図１におけるＥＤＩデータ振り分けシステムに入力される第２の伝送情報例を示す説明図、図１４は、図１におけるＥＤＩデータ振り分けシステムに入力される第３の伝送情報例を示す説明図、図１５は、図１におけるＥＤＩデータ振り分けシステムに入力される第４の伝送情報例を示す説明図、図１６は、図１におけるＥＤＩデータ振り分けシステムから出力される第１の受信データ例を示す説明図であり、図１７は、図１におけるＥＤＩデータ振り分けシステムから出力される第２の受信データ例を示す説明図、図１８は、図１におけるＥＤＩデータ振り分けシステムから出力される第３の受信データ例を示す説明図、図１９は、図１におけるＥＤＩデータ振り分けシステムから出力される第４の受信データ例を示す説明図、図２０は、図１におけるＥＤＩデータ振り分けシステムのデータ振り分け処理動作例を示すフロー図である。
【００３８】
図１２および図１３に示す伝送情報は、ファイル種別が「共同ＥＤＩセンタ標準フォーマット」、ファイル名称が「２００９  内示注文」であり、図１４および図１５に示す伝送情報は、ファイル種別が「共同ＥＤＩセンタ標準フォーマット」、ファイル名称が「２０１０  確定注文」であり、これらの伝送情報の入力に対応して本例のＥＤＩデータ振り分けシステムは図２０に示す処理を実行する。その結果として、図１６から図１９のそれぞれに示す内容のファイルを受信データとして出力する。
【００３９】
図２０において、伝送情報２０１１が入力されると（ステップ２０１）、本例のＥＤＩデータ振り分けシステムは、バッチ処理を開始する（ステップ２０２）。すなわち、伝送情報を読み込みデータベースへの取り込み処理を行い（ステップ２０２１）、受信情報２０２２として格納し、この受信情報２０２２に対して、振り分けマスタ（ルール）２０２３ａを参照して、振り分け処理を実行する（ステップ２０２３）。
【００４０】
この振り分け処理の結果を、商流情報変換マスタ２０２４ａを参照して、商流情報変換を行い（ステップ２０２４）、受信データ２０３ｂとして出力し、振り分け結果情報２０３ａとして登録する（ステップ２０３）。
【００４１】
このような処理を実行する前提条件として、入力されるファイルは、情報受信者企業コード・情報区分単位に分割されている正常データであること、および、入力ファイル中には以下の項目が必ずセットされていることがある。すなわち、「情報区分」として「２００９（内示）」または「２０１０（確定）」、「情報発信者企業コード」として「データ発信者の統一企業コード」、「情報受信者企業コード」として「データ受信者の統一企業コード」、「受注者コード」として「拠点コード」、「発注者コード」として「得意先コード」、「受渡場所コード」として「納入先コード」、「需要家コード」として「情報発信者企業コードと同じコード」がセットされている必要がある。
【００４２】
また、振り分け処理で行う項目の編集内容は、以下のようになる。すなわち、「情報発信者企業コード」に関しては「振り分けマスタから取得された発信者企業コードへ編集」、「情報受信者企業コード」に関しては「振り分けマスタから取得された受信者企業コードへ編集」、「受注者コード」に関しては「商流情報変換マスタから取得された拠点コード」、「発注者コード」に関しては「商流情報変換マスタから取得された得意先コード」、「受渡場所コード」に関しては「商流情報変換マスタから取得された納入先コード」、「鋼材加工業者コード」に関しては「振分マスタから取得された委託先企業コードへ編集」、「需要家コード」に関しては「削除（需要家表示なしとなっている場合）」、「契約単価」に関しては「削除」、「消費税金額」に関しては「削除」、「注文金額」に関しては「削除」する。
【００４３】
また、このような振り分け処理を行ったデータは、以下の何れかの状態となる。すなわち、「正常：該当する振分条件がない場合はデータにある受信者企業コードが振分先となる。また１つの注文の振分先が１箇所に定まれば正常に振分が行われる」、「保留：保留として振分マスタに登録してある条件と合致した場合は保留とする」、「重複：１つの注文の振分先が２箇所以上となる場合はエラーとし、振分が行われない」、「戻り：１つの注文の振分時に、同一の企業が振分先として複数回あらわれる場合はエラーとし、振分が行われない」、「マッピングエラー：商流情報変換マスタが定義されていない場合等のエラーとし、振分が行われない」。
【００４４】
尚、図１３および図１５の伝送情報（入力）の項番３９，４０における「自由使用空白（１００バイト）」の後の１０バイトを共同ＥＤＩセンタ標準フォーマットでは、「項目名：注文金額」、「属性：９（１０）」、「開始位置：５０８」として規定する。
【００４５】
また、振分処理の有無判定に関して、振分処理は情報発信者企業コード・情報受信者企業コードともに振分企業マスタに存在しているもののみを振分対象データとして扱い、該当データがない場合はスルーとする。
【００４６】
次に、このような振り分け処理においてエラーとなった場合について、すなわち、「振分機能」における、その「エラーデータ出力処理」について、図２１を用いて説明する。
【００４７】
図２１は、図１におけるＥＤＩデータ振り分けシステムのエラーデータ出力処理動作例を示すフロー図である。
【００４８】
本例のエラーデータ出力処理では、ステップ２１１での入力処理においては振り分け結果ファイル２１１ａを入力し、ステップ２１２での処理においては、振り分け結果ファイル２１１ａを読み込み、エラーデータ出力処理２１２ａをバッチ処理し、ステップ２１３での出力処理において、振り分け結果ファイル２１１ａを更新して、振り分け結果ファイル２１３ａとして出力する。
【００４９】
このエラーデータ出力処理で振り分けエラーとなったデータに対しては、以下のようにして、ユーザから指示される振り分け指示情報に基づき、再度、振り分け処理を行う。
【００５０】
図２２は、図１におけるＥＤＩデータ振り分けシステムのエラーデータ再振り分け処理動作例を示すフロー図である。
【００５１】
本例のエラーデータ再振り分け処理では、ステップ２２１での入力処理においては、再振り分け指示２２１ｃの内容チェック２２１ｂと振り分け結果ファイル２２１ａを入力し、ステップ２１２での処理においては、振り分け結果ファイル２２１ａを読み込み、振り分けマスタ２２２ｂを参照して、再振り分け指示チェック２２１ｂの結果に応じた振り分け処理２２２ａをバッチ処理する。尚、このバッチ処理は、例えば０８：００〜２２：００の間に３０分間隔で行う等のスケジュールで実行される。
【００５２】
そして、ステップ２２３での出力処理において、振り分け結果ファイル２２１ａに当該処理結果を追加して、振り分け結果ファイル２２３ａとして出力すると共に。振り分け先への受信データ２２３ｂを生成して出力する。本受信データ２２３ｂも図１６から図１９のそれぞれで示すものと同様な構成となる。
【００５３】
尚、振分結果２２１ａに送信先（受信者）個別指定があり、かつ振分マスタ２２２ｂにも該当する受信者が存在する場合は、振分結果２２１ａに登録された受信者を優先する。また、振り分け結果ファイル２２３ａにおいて、再振分処理を行ったデータは、再振分済の状態となる。
【００５４】
このエラーデータ再振り分け処理および図２０のデータ振り分け処理において、振り分けマスタ２０２３ａ，２２２ｂに同報配信情報が登録されている場合には、当該同報配信情報に応じて受信データ２０３ｂ，２２３ｂを生成する。
【００５５】
次に、図２３〜図５４を用いて、本例のＥＤＩデータ振り分けシステムが有する「ＷＥＢ機能」（「振分企業マスタデータ登録」、「受発信先マスタデータ登録」、「商流情報変換マスタ登録」、「振分用マスタデータ登録」、「振分結果確認」、「エラーデータ再振分指示」、「ＣＳＶダウンロード」）に関して説明する。
【００５６】
この「ＷＥＢ機能」は、図１における端末２，３のブラウザ２ａ，３ａなどを介してユーザが指示する内容に応じて、振り分けマスタの登録等を実行するものである。
【００５７】
図２３は、図１におけるＥＤＩデータ振り分けシステムのＷＥＢ機能の構成例を示すブロック図であり、本例のＷＥＢ機能は、図１におけるサーバコンピュータ１の管理者からの操作指示に対応した処理を行う管理機能（図中「管理者メニュー」と記載）２３０と、図１における端末２，３のユーザによるブラウザ２ａ，３ａを介してのデータ振り分けに関する操作指示に対応した処理を行う振り分け機能（図中「振り分け依頼者メニュー」と記載）２３１とを有する。
【００５８】
管理機能２３０は、振り分け企業マスタに対するファイル操作を行う振り分け企業マスタ操作機能（図中「振り分け企業マスタ」と記載）２３０１と、受発信先マスタに対するファイル操作を行う受発信先マスタ操作機能（図中「受発信先マスタ」と記載）２３０２、商流情報変換マスタに対するファイル操作を行う商流情報変換マスタ操作機能（図中「商流情報変換マスタ」と記載）２３０３などからなり、振り分け機能２３１は、振り分けマスタに対するファイル操作を行う振り分けマスタ操作機能（図中「振り分けマスタ」と記載）２３１１と、振り分け結果の確認操作を行う振り分け結果確認機能（図中「振り分け結果確認」と記載）２３１２などからなる。
【００５９】
まず、図２４から図２９を用いて、管理機能２３０における振り分け企業マスタ操作機能２３０１について詳細を説明する。
【００６０】
図２４は、図２３における振り分け企業マスタ操作機能の処理機能例を示す説明図であり、本例の振り分け企業マスタ操作機能では、図１のサーバコンピュータ１の管理者の操作に応じて、振り分け企業マスタの検索処理２４１、この検索処理結果に基づく管理者操作に応じた振り分け企業マスタの一覧表示処理２４２、一覧表示結果に基づく管理者操作に応じた振り分け企業マスタの新規作成処理２４３あるいは振り分け企業マスタの更新処理２４４などを行う。
【００６１】
図２５は、図２４における振り分け企業マスタの検索処理で用いられる画面レイアウト例を示す説明図であり、図２６は、図２４における振り分け企業マスタの一覧表示処理で用いられる第１の画面レイアウト例を示す説明図、図２７は、図２４における振り分け企業マスタの一覧表示処理で用いられる第２の画面レイアウト例を示す説明図、図２８は、図２４における振り分け企業マスタの新規作成処理で用いられる画面レイアウト例を示す説明図、図２９は、図２４における振り分け企業マスタの更新処理で用いられる画面レイアウト例を示す説明図である。
【００６２】
図２４の振り分け企業マスタの検索処理２４１では、図２５に示す画面レイアウトの振り分け企業マスタ検索用画面２５１をＣＲＴ等に表示し、この振り分け企業マスタ検索用画面２５１上の「統一企業コード」もしくは「企業名称」の入力欄に、操作者（管理者）が企業コードもしくは企業名称（この場合は文字列検索）の何れかを入力して、「検索」ボタンをクリック操作すると、対応する振り分け企業マスタの検索を実行する。
【００６３】
この検索処理の検索結果を、図２４の振り分け企業マスタの一覧表示処理２４２において、図２６に示す画面レイアウトの振り分け企業マスタ一覧画面２６１をＣＲＴ等に表示する。本図２６の例では、図２５に例示する振り分け企業マスタ検索用画面２５１における「企業名称」の入力欄に入力された「コイルセンタ」に対応した文字列検索結果が表示されており、Ａコイルセンタ、Ｂコイルセンタ、Ｃコイルセンタの３つの「企業名」が、その「統一企業コード」、「登録日」、「更新日」、「依頼者」の各情報と共に一覧表示されている。
【００６４】
操作者（管理者）が、このように表示された振り分け企業マスタ一覧画面２６１上の「新規」、「変更」、「削除」の各ボタンをクリック操作することで、図２４における振り分け企業マスタの新規作成処理２４３あるいは振り分け企業マスタの更新処理２４４などが起動される。
【００６５】
「新規」ボタンがクリック操作されると、振り分け企業マスタの新規作成処理２４３が起動し、当該振り分け企業マスタに新規の企業情報を追加する処理を開始し、「変更」ボタンがクリック操作されると、振り分け企業マスタの更新処理２４４が起動し、当該振り分け企業マスタに登録されている企業情報を更新する。尚、「削除」ボタンがクリック操作されると、振り分け企業マスタの更新処理２４４が起動し、当該振り分け企業マスタに登録されている企業情報の削除を行う。この削除処理の際には、図２７に示されるような確認メニュー２７１が画面表示され、「ＯＫ」ボタンがクリックされることで削除処理が実行される。
【００６６】
図２６に示す振り分け企業マスタ一覧画面２６１における「新規」ボタンがクリック操作されると、図２８に示す振り分け企業マスタの新規作成画面２８１が表示され、操作者（管理者）は、この振り分け企業マスタの新規作成画面２８１上の操作で、新規に登録する企業の情報を追加する。
【００６７】
この図２８に示す振り分け企業マスタの新規作成画面２８１で入力される項目（企業情報）としては、「コイルセンタ  拠点」、「統一企業コード」、「企業名称」、「郵便番号」、「住所」、「電話番号（ＴＥＬ）」、「データ作成の有無」、「需要家表示の有無」、「メールアドレス」、「メールによる振り分け通知の要否」、「ファクシミリ番号」、「ファクシミリによる振り分け通知の要否」、「登録依頼者」がある。
【００６８】
尚、各企業情報の内の「データ作成の有無」に関しては、ファイルでの伝送および受注台帳が不要の場合に操作者（管理者）は「無」を選択し、「需要家表示の有無」に関しては、注文連絡票への需要家名表示の有無を選択する。また、「メールアドレス」に関しては、「メールアドレス２」も用意され、両方に登録がある場合には、振り分け通知が両方に配信（同報配信）される。また、「ファクシミリ番号」に関しても「代替ファクシミリ番号」が用意され、通常の「ファクシミリ番号」への配信が失敗した場合に、当該「代替ファクシミリ番号」に登録された宛先に（振り分け通知を）送信する。
【００６９】
図２８に示す振り分け企業マスタの新規作成画面２８１で、各項目（企業情報）が入力され、「登録」ボタンがクリック操作されると、後述の図３３で示される確認メニュー３３１が画面表示され、「ＯＫ」ボタンがクリックされることで登録処理が実行される。
【００７０】
図２６に示す振り分け企業マスタ一覧画面２６１における「変更」ボタンがクリック操作されると、図２９に示す振り分け企業マスタの変更画面２９１が表示され、操作者（管理者）は、この振り分け企業マスタの変更画面２９１上の操作で、登録済の企業の情報を訂正・変更する。
【００７１】
この図２９に示す振り分け企業マスタの変更画面２９１上には、図２８で示す振り分け企業マスタの新規作成画面２８１と同じ項目（企業情報）が表示されている。操作者（管理者）は、各項目におけるデータを書き換えることにより、登録済企業の情報の修正登録を行う。
【００７２】
次に、図３０から図３３を用いて、図２３における管理機能２３０の受発信先マスタ操作機能２３０２について詳細を説明する。
【００７３】
図３０は、図２３における受発信先マスタ操作機能の処理機能例を示す説明図であり、本例の受発信先マスタ操作機能では、図１のサーバコンピュータ１の管理者の操作に応じて、受発信企業の選択処理３０１と、この受発信企業の選択処理結果に基づく管理者操作に応じた受発信先マスタの一覧表示処理３０２などを行う。
【００７４】
図３１は、図３０における受発信企業の選択処理で用いられる画面レイアウト例を示す説明図であり、図３２は、図３０における受発信先マスタの一覧表示処理で用いられる画面レイアウト例を示す説明図、図３３は、図３０の画面操作で表示される確認用画面のレイアウト例を示す説明図である。
【００７５】
図３０における受発信企業の選択処理３０１では、図３１に示す画面レイアウトの受発信企業選択要画面３１１をＣＲＴ等に表示し、この受発信企業選択要画面３１１上の表示項目「１次受信者」に対応したプルダウンメニューにより、「振り分け企業マスタ」に登録された企業名称が表示され、管理者（操作者）が、このプルダウンに展開される企業名を選択することで、受発信先の登録を行う対象企業を特定する。本図３１の例では、「（１２３４５６００００００）Ａコイルセンタ」が選択されている。
【００７６】
このようにして、「Ａコイルセンタ」が選択されると、図３０における受発信先マスタ一覧処理３０２が起動され、図３２に例示される画面レイアウトの受発信先マスタ一覧画面３２１が表示される。この受発信先マスタ一覧画面３２１では、図３１の受発信企業選択要画面３１１で選択された対象企業（Ａコイルセンタ）に関連付けられている企業が一覧で表示される。
【００７７】
この受発信先マスタ一覧画面３２１において、操作者（管理者）の操作に応じて、受発信先の追加、受発信先の削除を実行する。受発信先の追加は、対象企業（Ａコイルセンタ）に新たな企業を関連付ける操作処理であり、項目「企業名称」に対応したプルダウンメニューで表示される企業から操作者が選択することで、関連付け処理が行われる。
【００７８】
尚、プルダウンに展開される企業名は「振り分け企業マスタ」に登録されている企業名称である。この関連付け処理において操作者が「新規」ボタンをクリック操作することで当該企業名の関連付けが実行されるが、その際、図３３に示す確認メニュー３３１が画面表示され、「ＯＫ」ボタンがクリックされることで登録処理が実行される。
【００７９】
また、図３２において「データ件数２件」として表示されている「需要家１」と「Ｃコイルセンタ」は、既に、受発注先マスタにおいて「Ａコイルセンタ」に関連付けて登録されている企業であり、操作者が「印」にチェックを入れて、図３２の受発信先マスタ一覧画面３２１上の「削除」ボタンをクリック操作することに応じて、受発信先マスタ操作機能２３０２が、これらの対象企業から任意の企業の関連付けを取り消す。その際、図２７に示す確認メニュー２７１が画面表示され、「ＯＫ」ボタンがクリックされることで登録処理が実行される。
【００８０】
次に、図３４から図３７を用いて、図２３における管理機能２３０の商流情報変換マスタ操作機能２３０３について詳細を説明する。
【００８１】
図３４は、図２３における商流情報変換マスタ操作機能の処理機能例を示す説明図であり、本例の商流情報変換マスタ操作機能では、図１のサーバコンピュータ１の管理者の操作に応じて、商流情報変換マスタの検索処理３４１と、この検索処理結果に基づく商流情報変換マスタの一覧表示処理３４２、一覧表示結果に基づく管理者操作に応じた商流情報変換マスタの新規作成処理３４３などを行う。
【００８２】
図３５は、図３４における商流情報変換マスタの検索処理で用いられる画面レイアウト例を示す説明図であり、図３６は、図３４における商流情報変換マスタの一覧表示処理で用いられる画面レイアウト例を示す説明図、図３７は、図３４における商流情報変換マスタの新規作成処理で用いられる画面レイアウト例を示す説明図である。
【００８３】
図３４の商流情報変換マスタの検索処理３４１では、図３５に示す画面レイアウトの商流情報変換マスタ検索用画面３５１をＣＲＴ等に表示し、この商流情報変換マスタ検索用画面３５１上の「受信者」項目に対応するプルダウンメニューで操作者（管理者）が、商流情報変換マスタから検索する対象企業を選択すると、対応する商流情報変換マスタの検索を実行する。尚、プルダウンに展開される企業名は「商流情報変換マスタ」に登録されている企業名称である。本図３４の例では、「（１２３４５６０００００２）Ａコイルセンタ」が選択されている。
【００８４】
この検索処理の検索結果を、図３４の商流情報変換マスタの一覧表示処理３４２において、図３６に示す画面レイアウトの商流情報変換マスタ一覧画面３６１をＣＲＴ等に表示する。本図３６の例では、図３５に例示する商流情報変換マスタの検索用画面３５１において「受信者」として（「Ａコイルセンタ」ではなく）「ｘコイルセンタ」が選択された際の検索結果が表示されており、「発信者」、「受信者」、「変換元（拠点、得意先、納入先）」、「変換後（拠点、得意先、納入先）」の各項目欄に「Ａコイルセンタ」、「ｘコイルセンタ」、「拠点Ａ」、「得意先Ａ」、「納入先Ａ」、「拠点Ｘ」、「得意先Ｘ」、「納入先Ｘ」が表示されている。
【００８５】
操作者（管理者）が、このように表示された商流情報変換マスタ一覧画面３６１上の「新規」ボタンをクリック操作することで、図３４における商流情報変換マスタの新規作成処理３４３が起動される。すなわち、「新規」ボタンがクリック操作されると、商流情報変換マスタの新規作成処理３４３が起動し、図３７に示す画面を表示して、当該商流情報変換マスタに新規の商流情報変換データを登録する処理を開始する。尚、「削除」ボタンがクリック操作されると、チェックボックス「印」でチェック入力された当該情報の削除を行う。この削除処理の際には、図２７に示されるような確認メニュー２７１が画面表示され、「ＯＫ」ボタンがクリックされることで削除処理が実行される。
【００８６】
図３６に示す商流情報変換マスタ一覧画面３６１における「新規」ボタンがクリック操作されると、図３７に示す商流情報変換マスタの新規作成画面３７１が表示され、操作者（管理者）は、この商流情報変換マスタの新規作成画面３７１上の操作で、新規に登録する企業の情報を追加する。
【００８７】
この図３７に示す商流情報変換マスタの新規作成画面３７１で入力される項目（情報）としては、「発信者」、「受信者」、「変換元（拠点、得意先、納入先）」、「変換後（拠点、得意先、納入先）」がある。
【００８８】
この商流情報変換マスタの新規作成画面３７１上で操作者（管理者）が、発信者・受信者の統一企業コードをプルダウンメニューで選択し、変換する対象となる「コイルセンタ／拠点／得意先」、「納入先」のパターンを「変換元」に、変換後の「コイルセンタ／拠点／得意先」、「納入先」のパターンを「変換先」に入力する。
【００８９】
「コイルセンタ／拠点／得意先」および「納入先」のプルダウンに展開される情報は各拠点ごとに存在する「得意先情報登録」と「納入先情報登録」にて関連付けられた「コイルセンタ／拠点／得意先」、「納入先」であり、操作者（管理者）が「拠点」を選択すると関連する「得意先」が絞り込まれ、また「得意先」を選択すると関連する「納入先」が絞り込まれる。
【００９０】
図３７に示す商流情報変換マスタの新規作成画面３７１で、各項目での入力がなされ、「新規」ボタンがクリック操作されると、先の図３３で示される確認メニュー３３１と同様の画面が表示され、「ＯＫ」ボタンがクリックされると、図３７に示す商流情報変換マスタの新規作成画面３７１で選択入力された内容で、新規の登録処理が実行される。
【００９１】
次に、図３８から図４７を用いて、図２３における振り分け機能２３１の振り分けマスタ操作機能２３１１について詳細を説明する。
【００９２】
図３８は、図２３における振り分けマスタ操作機能の処理機能例を示す説明図であり、本例の振り分けマスタ操作機能では、図１の端末２，３のブラウザ２ａ，３ａにおけるユーザの操作に応じて、振り分けマスタの検索処理３８１と、この検索処理結果に基づく振り分けマスタの一覧表示処理３８２、一覧表示結果に基づくユーザ操作に応じた振り分けマスタの新規作成処理３８３もしくは振り分けマスタの更新処理３８４などを行う。
【００９３】
図３９は、図３８における振り分けマスタの検索処理で用いられる画面レイアウト例を示す説明図であり、図４０は、図３８における振り分けマスタの一覧表示処理で用いられる画面レイアウト例を示す説明図、図４１は、図３８における振り分けマスタの新規作成処理で用いられる第１の画面レイアウト例を示す説明図、図４２は、図３８における振り分けマスタの新規作成処理で用いられる第２の画面レイアウト例を示す説明図、図４３は、図３８における振り分けマスタの新規作成処理で用いられる第３の画面レイアウト例を示す説明図、図４４は、図３８における振り分けマスタの更新処理で用いられる第１の画面レイアウト例を示す説明図、図４５は、図３８における振り分けマスタの更新処理で用いられる第２の画面レイアウト例を示す説明図、図４６は、図３８における振り分けマスタの更新処理で用いられる第３の画面レイアウト例を示す説明図、図４７は、図２３における振り分けマスタ操作機能で用いられる振り分け条件例を示すを示す説明図である。
【００９４】
図３８の振り分けマスタの検索処理３８１では、図３９に示す画面レイアウトの振り分けマスタ検索用画面３９１をＣＲＴ等に表示し、この振り分けマスタ検索用画面３９１上の「発信者」、「２次受信者」、「３次受信者」、「情報区分」等の各項目に対応するプルダウンメニューでユーザが、振り分けマスタの検索を行う条件を選択・入力すると、対応する振り分けマスタの検索を実行する。尚、「発信者」、「２次受信者」、「３次受信者」のプルダウンに展開される企業名は「受発信先マスタ」で関連付けた企業である。
【００９５】
この検索処理の検索結果を、図３８の振り分けマスタの一覧表示処理３８２において、図４０に示す画面レイアウトの振り分けマスタ一覧画面４０１をＣＲＴ等に表示する。ユーザは、この振り分けマスタ一覧画面４０１上の内容に基づき、振り分けマスタに登録されている振り分けルールを確認する。
【００９６】
本図４０の例では、図３９に例示する振り分けマスタの検索用画面３９１において「発信者」、「２次受信者」、「３次受信者」として「全て」が選択され、「情報区分」として「内示注文」が選択された際の検索結果が表示されている。そして、「ソートキー」、「処理種別」、「情報区分」、「発信者」、「１次受信者」、「２次受信者」、「３次受信者」、「同報配信先」、「更新日」、「項目」、「条件」の各項目に対応する内容が表示されている。
【００９７】
ユーザが、このように表示された振り分けマスタ一覧画面４０１上の「新規」ボタンをクリック操作することで、図３８における振り分けマスタの新規作成処理３８３が起動される。すなわち、「新規」ボタンがクリック操作されると、振り分けマスタの新規作成処理３８３が起動し、図４１と図４２および図４３に例示する画面を表示して、当該振り分けマスタに新規の振り分けルールを登録する処理を開始する。
【００９８】
図４１における振り分けマスタ新規登録画面４１１には、「発信者」、「１次受信者」、「２次受信者」、「３次受信者」、「同報配信先」、「情報区分」、「処理種別」の入力欄と、「振り分け条件」の入力欄がある。
【００９９】
「処理種別」には「振分」と「保留」があり、「振分」は、該当商品の場合に振り分けを行い、「保留」は、該当商品の場合に保留として取り扱い、振り分けエラーとして通知する。また、「発信者」、「１次受信者」、「２次受信者」、「３次受信者」、のプルダウンに展開される企業名は「受発信先マスタ」にて関連付けた企業である。また「同報配信先」には、該当商品の注文データと同様の内容を複製データとして振り分ける先の指定企業が入力され、１社のみ指定可能である。
【０１００】
「振り分け条件」には、図４１で示す「００．システムに関するデータ項目」、「０１．企業、場所に関するデータ項目」、図４２で示す「０２．管理番号に関するデータ項目」、「０３．規格、等級に関するデータ項目」、「０４．寸法に関するデータ項目」、「０５．員数に関するデータ項目」、図４３で示す「０６．質量に関するデータ項目」、「０８．日付（日数）、時刻（時間）に関するデータ項目」、「１２．製造、加工、納入、検収時に使用するデータ項目」、「１３．請求、支払い時に使用するデータ項目」、「１９．その他」などがある。
【０１０１】
この「１９．その他」における「自由使用空白」欄は、図４３における「自由使用空白追加」ボタンのクリック操作により、入力欄を追加することができ、複数入力することができる。複数入力された各自由使用空白欄における各条件は、複数条件の論理積として作用する。また、任意のバイト単位に設定が可能である。
【０１０２】
図４３における「新規」ボタンがクリック操作されると、先の図３３で示される確認メニュー３３１と同様の画面が表示され、「ＯＫ」ボタンがクリックされると、図４１〜４３の各入力欄に入力された振り分けルール情報の振り分けマスタへの新規登録処理が実行される。
【０１０３】
尚、図４０における振り分けマスタ一覧画面４０１上の「削除」ボタンがユーザによりクリック操作されると、チェックボックス「印」でチェック入力された当該情報の削除を行う。この削除処理の際には、先の図２７に示されるような確認メニュー２７１と同様のものが画面表示され、「ＯＫ」ボタンがクリックされることで削除処理が実行される。
【０１０４】
また、ユーザにより、図４０に示す振り分けマスタ一覧画面４０１において、何れかのレコード列に対応するチェックボタン「印」が選択された後に「訂正」ボタンがクリック操作されると、図３８における振り分けマスタの更新処理３８４が起動される。すなわち、「訂正」ボタンがクリック操作されると、振り分けマスタの更新処理３８４が起動し、図４４と図４５および図４６に例示する画面を表示して、当該振り分けマスタにおける振り分けルールの更新処理を開始する。
【０１０５】
図４４〜図４６の振り分けマスタ更新画面４４１，４５１，４６１においては、図４０に示す振り分けマスタ一覧画面４０１上で選択されたレコードに関する振り分けルール（図４０〜図４３における表示内容と同様）が表示されており、この振り分けマスタ更新画面４４１，４５１，４６１上のユーザ操作に応じて、図３８における振り分けマスタ更新処理３８４により、表示された振り分けルールの訂正、例えば「ソートキー」ならびに各「振り分け条件」の各データ項目の訂正を実行する。
【０１０６】
図４６における「訂正」ボタンがクリック操作されると、先の図３３で示される確認メニュー３３１と同様の画面が表示され、「ＯＫ」ボタンがクリックされると、図４４〜４６の各入力欄に入力された振り分けルール情報の振り分けマスタへの更新処理が実行される。
【０１０７】
図４７の振り替え条件テーブル４７１に示す項目が、振り分け条件として設定できるものであり、これらの設定項目は「内示注文」、「確定注文」共に共通である。
【０１０８】
次に、図４８から図５４を用いて、図２３における振り分け機能２３１の振り分け結果確認機能２３１２について詳細を説明する。
【０１０９】
図４８は、図２３における振り分け結果確認機能の処理機能例を示す説明図であり、本例の振り分け結果確認機能では、図１の端末２，３のブラウザ２ａ，３ａにおけるユーザの操作に応じて、振り分け結果の検索処理４８１と、この検索処理結果に基づく振り分け結果の一覧表示処理４８２、一覧表示結果に基づくユーザ操作に応じた振り分けデータの一覧表示処理４８３、このデータ一覧表示結果に基づくユーザ操作に応じた振り分けデータの詳細表示処理４８４などを行う。
【０１１０】
図４９は、図４８における振り分け結果の検索処理で用いられる画面レイアウト例を示す説明図であり、図５０は、図４８における振り分け結果の一覧表示処理で用いられる画面レイアウト例を示す説明図、図５１は、図５０における画面で表示される状態項目の定義例を示す説明図、図５２は、図４８における振り分けデータの一覧表示処理で用いられる画面レイアウト例を示す説明図、図５３は、図５２における画面で表示される状態項目の定義例を示す説明図、図５４は、図４８における振り分けデータの詳細表示処理で用いられる画面レイアウト例を示す説明図である。
【０１１１】
図４８の振り分け結果の検索処理４８１では、図４９に示す画面レイアウトの振り分け結果検索用画面４９１をＣＲＴ等に表示し、この振り分け結果検索用画面４９１上の「処理番号」、「処理日」、「情報区分」、「状態」等の各項目に、検索条件をユーザが入力すると、対応する振り分け処理の結果の検索を実行する。尚、「状態」のプルダウンでは「正常」、「エラー」、「保留」が展開され、「正常」は、全ての商品の振り分けが正常に完了したものを検索対象とし、「エラー」は、１件でもエラーを含むデータを検索対象とし、「保留」は、１件でも保留を含むデータを検索対象とする。
【０１１２】
振り分け結果検索用画面４９１において各検索条件が入力され、「検索」ボタンがクリック操作されると、図４８の振り分け結果の検索処理４８１が該当する振り分け結果情報を検索し、その検索結果を、図４８の振り分け結果一覧表示処理４８２により、図５０に示す画面レイアウトの振り分け結果一覧画面５０１としてＣＲＴ等に表示する。ユーザは、この振り分け結果一覧画面５０１上の内容に基づき、振り分け処理の結果を確認する。
【０１１３】
本図５０の例では、図４９に例示する振り分け結果の検索用画面４９１において「処理日」として「２００１／１２／３１〜２００１／１２／３１」が入力され、「情報区分」として「内示注文」が入力され、「状態」として「保留」が選択された際の検索結果が表示されている。
【０１１４】
図５０の振り分け結果一覧画面５０１では、「処理番号」が「２００１１２３１００１」と「２００１１２３１００２」の二つについて、その「処理時間」、「発信者企業名称」、「情報区分」、「件数」、「状態」が表示されており、この「状態」に関しては、図５１の状態テーブル５０１に示すように、「正常」、「エラー」、「仮登録」、「再振り分け待ち」、「再振り分け済」の５種類があり、「正常」は、正常に振り分け処理が行われたデータのみが含まれる場合に表示され、「エラー」は、重複・戻り・マッピングエラー・保留のいずれかが含まれる場合に、「仮登録」は、正常・仮削除・再振り分け指示のみが含まれる場合に、「再振り分け待ち」は、再振り分け待ちの状態の場合に、そして、「再振り分け済」は、再振り分けが完了した場合に表示される。
【０１１５】
ユーザが、図５０の振り分け結果一覧画面５０１で表示された振り分け結果のいずれかを、チェックボタン「印」で選択し、「選択」ボタン、「ダウンロード」ボタン、「再振り分け」ボタンのいずれかをクリック操作することで、各々ボタンに対応する処理が実行される。
【０１１６】
例えば、「再振り分け」ボタンがクリック操作されると、振り分けエラーまたは保留になっている商品を再度、振り分け処理にかける。また、「ダウンロード」ボタンがクリック操作されると、選択された処理番号単位で、振り分け結果のダウンロードを行う。尚、ダウンロードするファイル形式としてＣＳＶ（Comma Separated Values）を用い、例えば、図１６〜図１９に示す内容となる。
【０１１７】
また、「選択」ボタンがクリック操作されると、図４８における振り分けデータ一覧表示処理４８３が起動して、「件数」で示される分の、振り分け結果データが読み出され、図５２に示される内容の振り分けデータ一覧画面５２１が表示される。
【０１１８】
この振り分けデータ一覧画面５２１では、「処理番号」が「２００１１２３１００１」、「１次受信者」が「Ａコイルセンタ」、「処理時間」が「２００１／１２／３１ ００：５１：１７」、「発信者」が「需要家１」に係わる４つの振り分けデータが表示されている。
【０１１９】
この４件のそれぞれに関しての「状態」として表示される内容には、図５３の状態定義テーブル５３１に示すように、「正常」、「保留」、「重複」、「戻り」、「マッピングエラー」、「仮削除」、「仮再振り分け指示」、「再振り分け指示」、「再振り分け待ち」、「削除」、「再振り分け済」の１１種類があり、「正常」は、正常に振分処理が行われたデータを表し、「保留」は、振分マスタの保留条件に該当したデータ、「重複」は、振分条件が重複し委託先が２箇所以上になったデータ、「戻り」は、同一の企業が振分先として複数回あらわれたデータ、「マッピングエラー」は、商流変換情報マスタに該当情報なかったデータ、「仮削除」は、削除することを仮決めしたデータ、「仮再振り分け指示」は、委託先を仮決めしたデータ、「再振り分け指示」は、再振分処理待ちデータ、「再振り分け待ち」は、再振分処理待ちデータ、「削除」は、削除されたデータ、「再振り分け済」は、再振分処理が完了したデータを表す。
【０１２０】
図５２の振り分けデータ一覧画面５２１における「委託先決定」ボタンがクリック操作されると、「２次受信者」、「３次受信者」のプルダウンメニューで表示された企業に対する送信先個別指定を行い、「状態」がエラーもしくは保留となっている商品の宛先として設定し登録する。尚、「２次受信者」、「３次受信者」でプルダウンに展開される企業名は「受発信先マスタ」にて関連付けられた企業である。
【０１２１】
また、エラーデータに対する実際の「委託先決定」を行うためには、再振り分け指示の投入が必要である。このエラーデータに対する再振り分け指示は、図５０で示す振り分け結果一覧画面５０１において、チェックボタン「印」での選択、「再振り分け」ボタンのクリック操作に基づき実行され、振り分けエラーまたは保留になっている商品を再度、振り分け処理にかけるものである。
【０１２２】
また、図５２の振り分けデータ一覧画面５２１における「削除」ボタンがクリック操作されると、「状態」がエラーもしくは保留となっている商品データの削除を行う。尚、実際の削除を行うためには、「委託先決定」ボタンのクリック操作時と同様、再振り分け指示の投入が必要である。
【０１２３】
また、図５２の振り分けデータ一覧画面５２１における「項番」のいずれかががクリック操作されると、図４８における振り分けデータ詳細表示処理４８４が起動して、当該「項番」に対応する振り分け結果データの詳細が、図５４の振り分けデータ詳細画面５４１に示す内容でＣＲＴ等に表示される。
【０１２４】
図５４の振り分けデータ詳細画面５４１においては、「処理番号」が「２００１１２３１００１」、「１次受信者」が「需要家１」、「項番」が「１」の振り分けデータの詳細情報として、図４１〜図４３における振り分けマスタ新規登録画面４１１，４２１，４３１で「振り分け条件」として示された各データ項目、すなわち、、「００．システムに関するデータ項目」、「０１．企業、場所に関するデータ項目」、「０２．管理番号に関するデータ項目」、「０３．規格、等級に関するデータ項目」、「０４．寸法に関するデータ項目」、「０５．員数に関するデータ項目」、「０６．質量に関するデータ項目」、「０８．日付（日数）、時刻（時間）に関するデータ項目」、「１２．製造、加工、納入、検収時に使用するデータ項目」、「１３．請求、支払い時に使用するデータ項目」、「１９．その他」のそれぞれに関しての具体的な登録内容が表示されている。
【０１２５】
次に、図５５〜図６０を用いて、本例のＥＤＩデータ振り分けシステムが有する「メール・ＦＡＸ連携機能」（「エラー通知」、「振分結果メール通知」、「振分結果ＦＡＸ通知」）に関して説明する。
【０１２６】
まず、図５５と図５６を用いて、「メール・ＦＡＸ連携機能」における、その「エラー通知」について説明する。
【０１２７】
図５５は、図１におけるＥＤＩデータ振り分けシステムのエラー通知処理動作例を示すフロー図であり、図５６は、図５５におけるエラー通知処理で出力されるエラー通知データのフォーマット例を示す説明図である。
【０１２８】
図５５に示すように、本例のＥＤＩデータ振り分けシステムのエラー通知処理動作では、まずステップ５５１の入力処理において振り分け結果５５１ａを入力し、ステップ５５２の処理において、振り分け結果５５１ａと振り分け企業マスタ５５２ｂを読み込み、内容を照合・比較してエラーチェック５５２ａを行い、このエラーチェック５５２ａで検出したエラーに関する通知情報を記述したメール５５２ｃを作成し、メール送信処理５５２ｂを行い、ステップ５５３の出力処理により当該メール５５３ａを指定の宛先に送信する。
【０１２９】
メール５５２ｃは、図５６に示すメール５６１のフォーマットからなり、本例では、「送信元」として「共同ＥＤＩセンターメールアドレス」が、「送信先」として「１次受信者メールアドレス」（これは振り分け企業マスタから取得される）が記述され、また、「件名」として「［共同ＥＤＩセンタ］再振り分け依頼」が、そして本文として、「共同ＥＤＩセンタ受信処理にて再振り分けの必要なデータが発生しましたので、ＷＥＢ画面にてご確認ください。１次受信者：Ａコイルセンタ、処理番号：２００１１１１７００１、処理日：２００１／１１／１７、処理時間：１７：０５、発信者企業名：（株）需要家、情報区分：内示注文、データ件数：２３、要再振り分け件数：３」が記述されている。
【０１３０】
次に、図５７と図５８を用いて、「メール・ＦＡＸ連携機能」における、その「振り分け結果」をメールで通知する例について説明する。
【０１３１】
図５７は、図１におけるＥＤＩデータ振り分けシステムの振り分け結果メール通知処理動作例を示すフロー図であり、図５８は、図５７における振り分け結果メール通知処理で出力されるメールのフォーマット例を示す説明図である。
【０１３２】
図５７に示すように、本例のＥＤＩデータ振り分けシステムの振り分け結果をメールで通知する際の処理動作では、まずステップ５７１の入力処理において振り分け結果５７１ａを入力し、ステップ５７２のバッチ処理において、振り分け結果５７１ａと振り分け企業マスタ５７２ｂを読み込み、それぞれの内容に基づいて振り分け結果通知情報の編集５７２ａを行い、記憶装置（図中「ＦＡＸＤＢ」と記載）５７２ｃに書き込み、書き込んだ内容を読み出し、あるいは、振り分け結果通知情報の編集５７２ａ結果から直接、メール文の作成・出力５７２ｄを行い、このように作成した通知メール文５７２ｅに対してメール送信処理５７２ｆを行い、ステップ５７３の出力処理により当該メール５７３ａを指定の宛先に送信する。
【０１３３】
メール５７３ａは、図５８に示す内容のフォーマットからなり、Ｎｏ.１〜Ｎｏ.５の複数の注文番号の振り分け結果が一括して通知される。本例では、「発注者」、「受注者」、「委託先」、「需要家」、「訂正区分」の各項目が同一のもの毎に、当該メールを出力する。
【０１３４】
次に、図５９と図６０を用いて、「メール・ＦＡＸ連携機能」における、その「振り分け結果」をＦＡＸ（ファクシミリ）で通知する例について説明する。
【０１３５】
図５９は、図１におけるＥＤＩデータ振り分けシステムの振り分け結果ＦＡＸ通知処理動作例を示すフロー図であり、図６０は、図５９における振り分け結果ＦＡＸ通知処理で出力されるＦＡＸのフォーマット例を示す説明図である。
【０１３６】
図５９に示すように、本例のＥＤＩデータ振り分けシステムの振り分け結果をファクシミリで通知する際の処理動作では、まずステップ５９１の入力処理において振り分け結果５９１ａを入力し、ステップ５９２のバッチ処理において、振り分け結果５９１ａと振り分け企業マスタ５９２ｂを読み込み、それぞれの内容に基づいて振り分け結果通知情報の編集５９２ａを行い、記憶装置（図中「ＦＡＸＤＢ」と記載）５９２ｃに書き込み、書き込んだ内容を読み出し、あるいは、振り分け結果通知情報の編集５９２ａ結果から直接、ファクシミリイメージデータの作成・出力５９２ｄを行い、ステップ５９３の出力処理において、当該ＦＡＸイメージデータ５９３ａに対するファイル伝送５９３ｂを行い、ＦＡＸ出力サービスシステム５９３ｃを介して相手先のファクシミリ（ＦＡＸ）５９３ｄに送信する。尚、本例では、ＦＡＸ配信は、フロー制御のために、一定間隔でファイル伝送（５９３ｂ）を行う。
【０１３７】
このように送信されるＦＡＸイメージデータ５９３ａは、図６０に示す内容のフォーマットからなり、Ｎｏ.１〜Ｎｏ.５の複数の注文番号の振り分け結果が一括して通知される。本例では、「発注者」、「受注者」、「委託先」、「需要家」、「訂正区分」の各項目が同一のもの毎に、当該ＦＡＸを出力する。
【０１３８】
以上、図１〜図６０を用いて説明したように、本例では、発注者と受注者といった複数者間のＥＤＩ（電子データ交換）処理技術において、そのＥＤＩデータの交換システムを実現するにあたり、ＥＤＩデータの宛先データによる振り分け以外に、業務データの中身（納品先、サイズ等といった明細データ）をもとに、予め登録された判定ロジックに基づき、データの振り分け、交換を実現する。
【０１３９】
特に、本例では、利用者において振り分け情報を登録するパソコン等からブラウザを介して、インターネットなどのネットワークにより接続されたサーバコンピュータに、事前に、電子データ交換システム上の各種交換情報に含まれる明細データの振り分け方法を登録する。
【０１４０】
また、本例では、注文データは、「需要家」より各コイルセンタ等に伝送されるが、予め登録された振り分けマスタに従って段階的に振り分けられる。例えば、各振り分け段階から「１次受信者」、「２次受信者」、「三次受信者」に、段階的に振り分けて注文データが伝送される。
【０１４１】
このように、従来の宛先による振り分けに追加して、特定のデータ項目の組み合わせを判断してＥＤＩデータの振り分けを行なうことにより、インターネットなどのネットワーク等を介してＥＤＩシステムの利用者が、振り分け情報の登録を簡易に実現でき、必要な情報が迅速に入手できるとともに、業務のスピードアップなどが図れる。
【産業上の利用可能性】
【０１４２】
尚、本発明は、図１〜図６０を用いて説明した例に限定されるものではなく、その要旨を逸脱しない範囲において種々変更可能である。例えば、本例では鉄鋼業界の共同ＥＤＩを例に説明したが、他の業界のＥＤＩシステムにも適用が可能である。
【図面の簡単な説明】
【０１４３】
【図１】本発明に係わるＥＤＩデータ振り分けシステムの構成例を示すブロック図である。
【図２】図１におけるＥＤＩデータ振り分けシステムの従来技術との相違点を示す説明図である。
【図３】図１におけるＥＤＩデータ振り分けシステムを実際に利用した場合のモデル構成例を示す説明図である。
【図４】図１におけるＥＤＩデータ振り分けシステムが有する機能例を示す説明図である。
【図５】図１におけるＥＤＩデータ振り分けシステムによる二者間情報共有モデル例を示す説明図である。
【図６】図１におけるＥＤＩデータ振り分けシステムによる三者間情報共有モデル例を示す説明図である。
【図７】図１におけるＥＤＩデータ振り分けシステムによるｎ者間情報共有モデル例を示す説明図である。
【図８】図１におけるＥＤＩデータ振り分けシステムの振り分けモデル例を示す説明図である。
【図９】図１におけるＥＤＩデータ振り分けシステムで用いる３階層モデルの振り分けルール例を示す説明図である。
【図１０】図１におけるＥＤＩデータ振り分けシステムで用いる４階層モデルの振り分けルール例を示す説明図である。
【図１１】図１のＥＤＩデータ振り分けシステムにおける受発信先の登録形態例を示す説明図である。
【図１２】図１におけるＥＤＩデータ振り分けシステムに入力される第１の伝送情報例を示す説明図である。
【図１３】図１におけるＥＤＩデータ振り分けシステムに入力される第２の伝送情報例を示す説明図である。
【図１４】図１におけるＥＤＩデータ振り分けシステムに入力される第３の伝送情報例を示す説明図である。
【図１５】図１におけるＥＤＩデータ振り分けシステムに入力される第４の伝送情報例を示す説明図である。
【図１６】図１におけるＥＤＩデータ振り分けシステムから出力される第１の受信データ例を示す説明図である。
【図１７】図１におけるＥＤＩデータ振り分けシステムから出力される第２の受信データ例を示す説明図である。
【図１８】図１におけるＥＤＩデータ振り分けシステムから出力される第３の受信データ例を示す説明図である。
【図１９】図１におけるＥＤＩデータ振り分けシステムから出力される第４の受信データ例を示す説明図である。
【図２０】図１におけるＥＤＩデータ振り分けシステムのデータ振り分け処理動作例を示すフロー図である。
【図２１】図１におけるＥＤＩデータ振り分けシステムのエラーデータ出力処理動作例を示すフロー図である。
【図２２】図１におけるＥＤＩデータ振り分けシステムのエラーデータ再振り分け処理動作例を示すフロー図である。
【図２３】図１におけるＥＤＩデータ振り分けシステムのＷＥＢ機能の構成例を示すブロック図である。
【図２４】図２３における振り分け企業マスタ操作機能の処理機能例を示す説明図である。
【図２５】図２４における振り分け企業マスタの検索処理で用いられる画面レイアウト例を示す説明図である。
【図２６】図２４における振り分け企業マスタの一覧表示処理で用いられる第１の画面レイアウト例を示す説明図である。
【図２７】図２４における振り分け企業マスタの一覧表示処理で用いられる第２の画面レイアウト例を示す説明図である。
【図２８】図２４における振り分け企業マスタの新規作成処理で用いられる画面レイアウト例を示す説明図である。
【図２９】図２４における振り分け企業マスタの更新処理で用いられる画面レイアウト例を示す説明図である。
【図３０】図２３における受発信先マスタ操作機能の処理機能例を示す説明図である。
【図３１】図３０における受発信企業の選択処理で用いられる画面レイアウト例を示す説明図である。
【図３２】図３０における受発信先マスタの一覧表示処理で用いられる画面レイアウト例を示す説明図である。
【図３３】図３０の画面操作で表示される確認用画面のレイアウト例を示す説明図である。
【図３４】図２３における商流情報変換マスタ操作機能の処理機能例を示す説明図である。
【図３５】図３４における商流情報変換マスタの検索処理で用いられる画面レイアウト例を示す説明図である。
【図３６】図３４における商流情報変換マスタの一覧表示処理で用いられる画面レイアウト例を示す説明図である。
【図３７】図３４における商流情報変換マスタの新規作成処理で用いられる画面レイアウト例を示す説明図である。
【図３８】図２３における振り分けマスタ操作機能の処理機能例を示す説明図である。
【図３９】図３８における振り分けマスタの検索処理で用いられる画面レイアウト例を示す説明図である。
【図４０】図３８における振り分けマスタの一覧表示処理で用いられる画面レイアウト例を示す説明図である。
【図４１】図３８における振り分けマスタの新規作成処理で用いられる第１の画面レイアウト例を示す説明図である。
【図４２】図３８における振り分けマスタの新規作成処理で用いられる第２の画面レイアウト例を示す説明図である。
【図４３】図３８における振り分けマスタの新規作成処理で用いられる第３の画面レイアウト例を示す説明図である。
【図４４】図３８における振り分けマスタの更新処理で用いられる第１の画面レイアウト例を示す説明図である。
【図４５】図３８における振り分けマスタの更新処理で用いられる第２の画面レイアウト例を示す説明図である。
【図４６】図３８における振り分けマスタの更新処理で用いられる第３の画面レイアウト例を示す説明図である。
【図４７】図２３における振り分けマスタ操作機能で用いられる振り分け条件例を示すを示す説明図である。
【図４８】図２３における振り分け結果確認機能の処理機能例を示す説明図である。
【図４９】図４８における振り分け結果の検索処理で用いられる画面レイアウト例を示す説明図である。
【図５０】図４８における振り分け結果の一覧表示処理で用いられる画面レイアウト例を示す説明図である。
【図５１】図５０における画面で表示される状態項目の定義例を示す説明図である。
【図５２】図４８における振り分けデータの一覧表示処理で用いられる画面レイアウト例を示す説明図である。
【図５３】図５２における画面で表示される状態項目の定義例を示す説明図である。
【図５４】図４８における振り分けデータの詳細表示処理で用いられる画面レイアウト例を示す説明図である。
【図５５】図１におけるＥＤＩデータ振り分けシステムのエラー通知処理動作例を示すフロー図である。
【図５６】図５５におけるエラー通知処理で出力されるエラー通知データのフォーマット例を示す説明図である。
【図５７】図１におけるＥＤＩデータ振り分けシステムの振り分け結果メール通知処理動作例を示すフロー図である。
【図５８】図５７における振り分け結果メール通知処理で出力されるメールのフォーマット例を示す説明図である。
【図５９】図１におけるＥＤＩデータ振り分けシステムの振り分け結果ＦＡＸ通知処理動作例を示すフロー図である。
【図６０】図５９における振り分け結果ＦＡＸ通知処理で出力されるＦＡＸのフォーマット例を示す説明図である。
【符号の説明】
【０１４４】
１：サーバコンピュータ、１ａ：ＥＤＩシステム、１ｂ：ＥＤＩデータ振り分けシステム、１ｃ：情報登録処理部、１ｄ：決定処理部、２，３：端末、２ａ，３ａ：ブラウザ、４：ネットワーク（インターネット）、５，６：記憶装置、２０１１：伝送情報、２０２２：受信情報、２０２３ａ，２２２ｂ：振り分けマスタ、２０２４ａ：商流情報変換マスタ、２０３ａ，２１１ａ，２１３ａ，２２１ａ，２２３ａ：振り分け結果、２０３ｂ，２２３ｂ：受信データ、２３０：管理機能（「管理者メニュー」）、２３０１：振り分け企業マスタ操作機能（「振り分け企業マスタ」）、２３０２：受発信先マスタ操作機能（「受発信先マスタ」）、２３０３：商流情報変換マスタ操作機能（「商流情報変換マスタ」）、２３１：振り分け機能（「振り分け依頼者メニュー」）、２３１１：振り分けマスタ操作機能（「振り分けマスタ」）、２３１２：振り分け結果確認機能（「振り分け結果確認」）、２４１：振り分け企業マスタの検索処理、２４２：振り分け企業マスタの一覧表示処理、２４３：振り分け企業マスタの新規作成処理、２４４：振り分け企業マスタの更新処理、２５１：振り分け企業マスタ検索用画面、２６１：振り分け企業マスタ一覧画面、２７１：確認メニュー、２８１：振り分け企業マスタの新規作成画面、２９１：振り分け企業マスタの変更画面、３０１：受発信企業の選択処理、３０２：受発信先マスタの一覧表示処理、３１１：受発信企業選択要画面、３２１：受発信先マスタ一覧画面、３３１：確認メニュー、３４１：商流情報変換マスタの検索処理、３４２：商流情報変換マスタの一覧表示処理、３４３：商流情報変換マスタの新規作成処理、３５１：商流情報変換マスタ検索用画面、３６１：商流情報変換マスタ一覧画面、３７１：商流情報変換マスタの新規作成画面、３８１：振り分けマスタの検索処理、３８２：振り分けマスタの一覧表示処理、３８３：振り分けマスタの新規作成処理、３８４：振り分けマスタの更新処理、３９１：振り分けマスタ検索用画面、４０１：振り分けマスタ一覧画面、４１１，４２１，４３１：振り分けマスタ新規登録画面、４４１，４５１，４６１：振り分けマスタ更新画面、４７１：振り替え条件テーブル、４８１：振り分け結果の検索処理、４８２：振り分け結果の一覧表示処理、４８３：振り分けデータの一覧表示処理、４８４：振り分けデータの詳細表示処理、４９１：振り分け結果検索用画面、５０１：振り分け結果一覧画面、５１１：状態テーブル、５２１：振り分けデータ一覧画面、５３１：状態定義テーブル、５４１：振り分けデータ詳細画面、５５１ａ，５７１ａ：振り分け結果、５５２ｂ，５７２ｂ：振り分け企業マスタ、５５３ａ：メール（エラー通知）、５６１：メール（エラー通知メールのフォーマット）、５７２ｃ：記憶装置（「ＦＡＸＤＢ」）、５７３ａ：メール（振り分け結果通知）、５９１ａ：振り分け結果、５９２ａ：振り分け企業マスタ、５９２ｃ：記憶装置（「ＦＡＸＤＢ」）、５９３ａ：ＦＡＸイメージ、５９３ｃ：ＦＡＸ出力サービスシステム、５９３ｄ：ファクシミリ（「ＦＡＸ」）。
【図１】
2005101928.tif 000003
【図２】
2005101928.tif 000004
【図３】
2005101928.tif 000005
【図４】
2005101928.tif 000006
【図５】
2005101928.tif 000007
【図６】
2005101928.tif 000008
【図７】
2005101928.tif 000009
【図８】
2005101928.tif 000010
【図９】
2005101928.tif 000011
【図１０】
2005101928.tif 000012
【図１１】
2005101928.tif 000013
【図１２】
2005101928.tif 000014
【図１３】
2005101928.tif 000015
【図１４】
2005101928.tif 000016
【図１５】
2005101928.tif 000017
【図１６】
2005101928.tif 000018
【図１７】
2005101928.tif 000019
【図１８】
2005101928.tif 000020
【図１９】
2005101928.tif 000021
【図２０】
2005101928.tif 000022
【図２１】
2005101928.tif 000023
【図２２】
2005101928.tif 000024
【図２３】
2005101928.tif 000025
【図２４】
2005101928.tif 000026
【図２５】
2005101928.tif 000027
【図２６】
2005101928.tif 000028
【図２７】
2005101928.tif 000029
【図２８】
2005101928.tif 000030
【図２９】
2005101928.tif 000031
【図３０】
2005101928.tif 000032
【図３１】
2005101928.tif 000033
【図３２】
2005101928.tif 000034
【図３３】
2005101928.tif 000035
【図３４】
2005101928.tif 000036
【図３５】
2005101928.tif 000037
【図３６】
2005101928.tif 000038
【図３７】
2005101928.tif 000039
【図３８】
2005101928.tif 000040
【図３９】
2005101928.tif 000041
【図４０】
2005101928.tif 000042
【図４１】
2005101928.tif 000043
【図４２】
2005101928.tif 000044
【図４３】
2005101928.tif 000045
【図４４】
2005101928.tif 000046
【図４５】
2005101928.tif 000047
【図４６】
2005101928.tif 000048
【図４７】
2005101928.tif 000049
【図４８】
2005101928.tif 000050
【図４９】
2005101928.tif 000051
【図５０】
2005101928.tif 000052
【図５１】
2005101928.tif 000053
【図５２】
2005101928.tif 000054
【図５３】
2005101928.tif 000055
【図５４】
2005101928.tif 000056
【図５５】
2005101928.tif 000057
【図５６】
2005101928.tif 000058
【図５７】
2005101928.tif 000059
【図５８】
2005101928.tif 000060
【図５９】
2005101928.tif 000061
【図６０】
2005101928.tif 000062